(57)【要約】【課題】  便器に洗浄水を供給する洗浄装置への給水路と便器に載置される局部洗浄装置への給水路とを有する分岐金具において、コンパクトな分岐金具を提供する。【解決手段】  便器に洗浄水を供給する洗浄装置への第１給水路と、便器に載置される局部洗浄装置への第２給水路とを有する分岐金具において、前記第２給水路には前記局部洗浄装置の可撓性を有する給水配管の接続部と、第２給水路を連通・遮断する弁体部とを設け、この弁体部は同一の弁体で前記給水配管が前記接続部から外れた場合に漏水を防止するための漏水防止機能及び前記局部洗浄装置を使用しない場合に止水する止水機能を有する。【選択図】  図１
2005097834.tif 000002
【特許請求の範囲】
【請求項１】
便器に洗浄水を供給する洗浄装置への第１給水路と、便器に載置される局部洗浄装置への第２給水路とを有する分岐金具において、
前記第２給水路には前記局部洗浄装置の可撓性を有する給水配管の接続部と、第２給水路を連通・遮断する弁体部とを設け、この弁体部は同一の弁体で前記給水配管が前記接続部から外れた場合に漏水を防止するための漏水防止機能及び前記局部洗浄装置を使用しない場合に止水する止水機能を有することを特徴とする分岐金具。
【請求項２】
前記弁体部は、前記接続部に嵌装され先端部に開口部を配設しこの開口部に弁座を形成した弁体ケースと、前記弁体ケースの内部に収容され前記弁座に離着座する前記弁体と、前記弁体ケースの内部に収容され前記弁体を前記弁座側に移動するように付勢する付勢手段と、前記付勢手段を支持する付勢手段支持部材とを備え、
前記弁体ケースと前記付勢手段支持部材とを連結して一体で分岐金具本体に移動可能に支持され、前記接続部に前記給水配管を嵌装・当接して前記弁体が開弁することを特徴とする請求項１記載の分岐金具。
【請求項３】
前記弁体ケースと前記付勢手段支持部材のいずれか一方に凸部を配設し、他方に前記凸部が嵌り込む凹部を配設し、前記凸部と凹部とを係合することにより前記弁体ケースと前記付勢手段支持部材とを連結することを特徴とする請求項２記載の分岐金具。
【請求項４】
前記弁体ケースと前記付勢手段支持部材のいずれか一方に雄螺子部を配設し、他方に雌螺子部を配設し、前記雄螺子部と雌螺子部とを螺合することにより前記弁体ケースと前記付勢手段支持部材とを連結することを特徴とする請求項２記載の分岐金具。
【請求項５】
前記給水配管を前記接続部と接続し、脱着自在なクイックファスナで接続状態を保持することを特徴とする請求項１〜４のいずれかに記載の分岐金具。
【発明の詳細な説明】
【技術分野】
【０００１】
本発明は、便器へ洗浄水を供給する便器洗浄装置への給水経路と便器に載置される局部洗浄装置への給水経路を分岐する分岐金具に関する。 
【背景技術】
【０００２】
従来の分岐金具は、便器へ洗浄水を供給する便器洗浄装置への給水経路と便器に載置される局部洗浄装置への給水経路とを同一の分岐金具本体に備え、局部洗浄装置への給水経路には、局部洗浄装置への連結管を接続固定する袋ナットと、シールのためのパッキンと、ゴムなどの弾性体で円盤状でかつ下面外周部に数個の小さな突起部を有する局部洗浄装置への連結管が抜けた場合の漏水を防止するフローオーバー閉止弁と、局部洗浄装置の不具合発生時に局部洗浄装置への給水を遮断する止水弁とを備えている（例えば、特許文献１参照。）。
このような場合、連結管抜け時の漏水を防止するフローオーバー閉止弁と、局部洗浄装置の不具合発生時に給水を遮断する止水弁が各々別個に設置されているため分岐金具本体が大きくなり、他の周囲部材との干渉が懸念される上、コストも高くなる。
【特許文献１】特開平６−２２０９０５号公報（第３頁、第１図）
【発明の開示】
【発明が解決しようとする課題】
【０００３】
本発明は、局部洗浄装置への給水路と便器への給水路を分岐する分岐金具において、局部洗浄装置への給水配管が外れた時の漏水を防止する弁体と局部洗浄装置を使用しない場合に、止水する弁体を同一にすることでコンパクトな分岐金具を提供することを目的としている。
【課題を解決するための手段】
【０００４】
上記課題を解決するために、本発明は、便器に洗浄水を供給する洗浄装置への第１給水路と、便器に載置される局部洗浄装置への第２給水路とを有する分岐金具において、前記第２給水路には前記局部洗浄装置の可撓性を有する給水配管の接続部と、第２給水路を連通・遮断する弁体部とを設け、この弁体部は同一の弁体で前記給水配管が前記接続部から外れた場合に漏水を防止するための漏水防止機能及び前記局部洗浄装置を使用しない場合に止水する止水機能を有することを特徴とする。
このように構成された本発明によれば、一ヶの弁体で局部洗浄装置の給水配管が外れた場合の漏水防止と、局部洗浄装置の不使用時に給水路を遮断する所謂止水を行うため、分岐金具本体が小型になり、施工時の他の周囲部材との干渉度合いが低くなる上、より安いコストで分岐金具が実現できる。
【０００５】
また、本発明において、好ましくは、前記弁体部は、前記接続部に嵌装され先端部に開口部を配設しこの開口部に弁座を形成した弁体ケースと、前記弁体ケースの内部に収容され前記弁座に離着座する弁体と、前記弁体ケースの内部に収容され前記弁体を前記弁座側に移動するように付勢する付勢手段と、前記付勢手段を支持する付勢手段支持部材とを備え、前記弁体ケースと前記付勢手段支持部材とを連結して一体で分岐金具本体に移動可能に支持され、前記接続部に前記給水配管を嵌装・当接して前記弁体が開弁することを特徴とする請求項１記載の分岐金具。
このように構成された本発明によれば、給水配管を接続部に嵌装すると付勢手段の付勢力に打ち勝って弁体が弁座から離れて第２給水路が連通状態となり局部洗浄装置に水が供給される。そして、給水配管を接続部から外すと付勢手段の付勢力によって弁体が弁座に押し付けられ第２給水路が遮断状態となる。
また、弁体ケースと付勢手段支持部材とを分岐金具本体の接続部と離間する方向に所定距離移動させることにより、付勢手段の付勢力が弁体に作用した状態で給水配管が弁体から離れる。それにより、給水配管が弁体から離れた状態となっても弁体が弁座に押し付けられた状態を維持する。
【０００６】
また、本発明において、好ましくは、前記弁体ケースと前記付勢手段支持部材のいずれか一方に凸部を配設し、他方に前記凸部が嵌り込む凹部を配設し、前記凸部と凹部とを係合することにより前記弁体ケースと前記付勢手段支持部材とを連結する構成としている。
このように構成された本発明によれば、弁体ケースと付勢手段支持部材の連結が簡単に行え、弁体部の組み立て作業も容易に行うことができる。
【０００７】
また、本発明において、好ましくは、前記弁体ケースと前記付勢手段支持部材のいずれか一方に雄螺子部を配設し、他方に雄螺子部が螺合する雌螺子部を配設し、前記雄螺子部と雌螺子部とを螺合することにより前記弁体ケースと前記付勢手段支持部材とを連結する構成としている。
このように構成された本発明によれば、弁体ケースと付勢手段支持部材とが簡単でガタつきがなく連結できる。また、弁体部の組み立て作業も容易に行うことができる。
【０００８】
また、本発明において、好ましくは、前記給水配管を前記接続部内に嵌装接続し、脱着自在なクイックファスナで接続状態を保持する。
このように構成された本発明によれば、局部洗浄装置の給水配管と分岐金具との接続、離脱が簡単に行え、狭い空間であっても施工作業が容易に行うことができる。
【発明の効果】
【０００９】
本発明によれば、便器へ洗浄水を供給する便器洗浄装置への給水路と便器に載置される局部洗浄装置への給水路を分岐する分岐金具において、局部洗浄装置への給水配管が抜け時に漏水を防止する弁体と局部洗浄装置への給水を遮断する弁体が同一の弁体で構成することで分岐金具が小型になり、他の周囲部材との干渉度合いが低くなる上、安価になる。
【発明を実施するための最良の形態】
【００１０】
以下、本発明の実施例を図面に基づいて説明する。図１は本発明にかかる分岐金具の給水配管を接続した状態を示す一実施例の縦断正面図である。図２は図１の部分拡大図である。
【００１１】
分岐金具本体１は、図示しない入水管が接続される接続部２、便器へ洗浄水を供給するための便器洗浄装置（図示しない）への給水管が接続される接続部３、便器に載置される局部洗浄装置（図示しない）への給水配管４が接続される接続部５、接続部３と連絡する第一給水路６、接続部５と連絡する第二給水路７を備えている。第二給水路７内には、内部に後述するコイルバネ１４を収容した筒状の弁体ケース１０と、コイルバネ１４の一端を支持する付勢手段支持部材８を連結して構成した弁体ユニット１２を配設している。
【００１２】
弁体ケース１０は、先端部に開口部１０ａとこの開口部１０ａの内側に弁座１５とを設け、弁座１５に離着座する弁体１６、弁体１６に係止して弁座１５に押し付けるように作用するコイルバネ１４を収容している。また、弁体ケース１０は側面部に水が通過する開口部１１を開設して第二給水路７と連通している。弁体１６は、弁体ケース１０の先端部から突出し給水配管４の端部に当接する突出部１６ａ、付勢手段支持部材８に設けた凹部８ａに案内されながら凹部８ａを出入りするガイド部１６ｂを設けている。また、弁体１６の弁座１５と当接する部分にはＯリング１６ｃを配設している。突出部１６ａは先端部が開放した筒状形状で、側面の一部が開口し弁体ケース１０の内側と突出部１６ａの内側とが連通している。
【００１３】
付勢手段支持部材８は、例えばポリアセタールなどの合成樹脂で成形し、弁体１６のガイド部１６ｂが出入りする凹部８ａを形成して、コイルバネ１４の一端を支持する円筒状のコイルバネ支持部８ｂと、コイルバネ支持部８ｂの外側に弁体ケース１０の開口部１１に係止する凸部９を先端部に設けた係止部８ｃと、分岐金具本体１に設けた雌螺子部２２に螺合して支持するための雄螺子部８ｄと、付勢手段支持部材８を回動操作するための操作部２１とで構成している。そして、操作部２１と分岐金具本体１とをＯリング１３ａ、１３ｂを介して蓋１３によってシールしている。
【００１４】
また、給水配管４は、接続部５の挿入部分より下流側は可撓性を有するホースなどで構成されている。接続部５には、給水配管４が挿入された後、接続部５に設けた凹部１７と給水配管４に設けた凹部１８には、図８に示すようなクイックファスナ１９の切欠部２０が跨るように嵌合され給水配管４と接続部５は一体的に接続保持されている。
【００１５】
次に、弁体１６の動作について説明する。
給水配管４を接続部５に挿入していくと、給水配管４の先端部が弁体１６の突出部１６ａに突き当たりガイド部１６ｂがコイルバネ支持部８ｂの凹部８ａ内に案内されながら進入してコイルバネ１４を縮め、弁体１０の弁座１５と当接していたＯリング１６ｃが弁座１５から離れて開弁する。すると、図２の矢印に示すように、第二給水路７→開口部１１→弁体１６と弁体ケース１０の間隙→突出部１６ａと連通する流路が形成される。
【００１６】
次に、クイックファスナ１９の施工忘れや差込が不完全で給水配管４が外れた場合の弁体１６の動作について、図３、図４を用いて説明する。図３は給水配管４が接続部５から抜ける途中の状態を示す図で、図４は給水配管４が接続部５から抜けた状態を示す図である。
図３に示すように、給水配管４が接続部５から抜ける方向に移動する際、弁体１６はコイルバネ１４の復元力により弁座１５側に移動して、給水配管４の先端部が弁体１０の突出部１６ａの先端から離れると、Ｏリング１６ｃが弁座１５に当接して完全に閉弁する。
【００１７】
図２に示すように、弁体１６のＯリング１６ｃが弁座１５に当接した位置から給水配管４を接続して弁体１６が後退した位置までの長さ寸法Ｍと、給水配管４を接続部５に挿入し接続した状態での排水配管４のシール部４ａの端部４ｂの位置から接続部５の先端部までの長さ寸法Ｌとの関係がL＞Mの関係になっている。そのため給水配管４のＯリング４ｃが分岐金具本体１の接続部５から外れる前に弁体１６が弁座１５に押し付けられ流路を遮断するため、給水配管４が接続部５から抜ける途中の状態においても水が分岐金具本体１の外部に漏水することはない。
【００１８】
給水配管４が完全に接続部５から抜けた場合、給水配管４の先端部は弁体１６の先端部と離れ、弁体１６は弁座１５にコイルバネ１４と第二給水路７の給水圧力により押し付けられ流路を遮断することにより、水が分岐金具本体１の外部に漏水することを防止する。
【００１９】
次に、図５を用いて弁体１６を止水弁として使用する状態を説明する。図１の状態から付勢手段支持部材８の操作部２１を回動して付勢手段支持部材８が図の下方側に移動させる。すると、付勢手段支持部材８と連結した弁体ケース１９が一体に移動して、給水配管４の先端部は弁体１６の先端部から離れる位置になり、弁体１６はコイルバネ１４と給水圧力により弁座１５に押し付けられ流路を遮断して止水状態を形成する。
【００２０】
図１、図２に示す分岐金具においては、コイルバネ１４を付勢手段支持部材８のコイルバネ支持部８ｂに配置し、次に弁体１６のガイド部１６ｂをコイルバネ１４の内側と付勢手段支持部材８の凹部８ａに差し込んだ後、付勢手段支持部材８の係止部８ｃを弁体ケース１０に差込み、付勢手段支持部材８の凸部９が弁体ケース１０の開口部１１に掛かる位置まで挿入する。付勢手段支持部材８と弁体ケース１０の連結は、凸部９が弁体ケース１０の開口部１１に掛かる位置まで挿入するだけでよいため、容易に組立が可能である。
【００２１】
また、付勢手段支持部材８と弁体ケース１０の連結は、図６に示すように、付勢手段支持部材８に雄螺子部２５を、弁体ケース１０に雌螺子部２６を設けて螺合によって連結してもよい。
【００２２】
さらに、分岐金具の他の実施例を図７に示す。この実施例は、付勢手段支持部材８の操作部２１の中央に凹部８ａと連通する貫通孔８ｅを穿設して、貫通孔８ｅに雌螺子部８ｄを形成しこの雌螺子部８ｄに螺合する雄螺子部２４ａを有する固定部材２４を貫通孔８ｅに挿入、螺合することによってガイド部１６ｂを押して弁体１６を弁座１５に強制的に押し付ける構成としている。このような構成とすることにより、弁体１６が弁座１５に強固に押し付けられ確実な止水機能を確保することができる。
【図面の簡単な説明】
【００２３】
【図１】本発明の一実施例の分岐金具に給水配管を接続した状態を示す縦断正面図
【図２】図１の給水配管を接続した状態を示す部分拡大図
【図３】図１の分岐金具から給水配管が抜ける途中状態の説明図
【図４】図１の分岐金具から給水配管が外れた状態の説明図
【図５】図１の分岐金具の弁体１６を止水弁として使用する状態の説明図
【図６】弁体ケース１０と付勢手段支持部材１６とを連結する他の実施例の縦断正面図
【図７】図１の分岐金具の他の実施例を示す縦断正面図
【図８】クイックファスナの外観図
【符号の説明】
【００２４】
１…分岐金具本体
２、３、５…接続部
４…給水配管
６…第一給水路
７…第二給水路
８…付勢手段支持部材
８ａ…凹部
８ｂ…コイルバネ支持部
８ｃ…係止部
８ｄ…雌螺子部
８ｅ…貫通孔
９…凸部
１０…弁体ケース
１０ａ…開口部
１１…開口部
１２…弁体ユニット
１３…蓋
１４…コイルバネ
１５…弁座
１６…弁体
１６ａ…突出部
１６ｂ…ガイド部
１６ｃ…Ｏリング
１７、１８…凹部
１９…クイックファスナ
２０…切欠部
２１…操作部
２３…Ｏリング
２４…固定部材
２２、２５…雌螺子部
２４ａ、２６…雄螺子部
【図１】
2005097834.tif 000003
【図２】
2005097834.tif 000004
【図３】
2005097834.tif 000005
【図４】
2005097834.tif 000006
【図５】
2005097834.tif 000007
【図６】
2005097834.tif 000008
【図７】
2005097834.tif 000009
【図８】
2005097834.tif 000010